(57)【要約】【課題】  簡単な構造で、安定性に優れるとともに、金網から外れにくくして、金網の支持を確実に行うことができるようにする。【解決手段】  法面Ｇに被覆される金網Ｎを法面Ｇより一定高さ間隔だけ浮かせて支持するものであって、先端１１及び法面Ｇに支持される下面１２を有し錘状に形成された本体１０を備え、本体１０の外側に周方向に沿う溝１３を形成し、本体１０を、下面１２を有し溝１３の一側面１３ａを形成する土台部１４と、先端１１を有し溝１３の他側面１３ｂを形成する先端部１５と、溝１３の底面１３ｃを形成し土台部１４及び先端部１５を連結する軸部１６とを備えて構成し、先端部１４を金網Ｎの交叉部３に形成される孔４を通過させ交叉部３を溝１３に入れて金網Ｎを支持するようにした。【選択図】  図１
2017053111.tif 000002
【特許請求の範囲】
【請求項１】
被覆面に被覆される金網を該被覆面より一定高さ間隔だけ浮かせて支持する金網支持スぺーサであって、一の線材の直角に折曲された折曲部と他の一の線材の直角に折曲された折曲部とをこれら折曲部の内側同士を交叉させて係合させた交叉部を有して格子状に形成された金網を支持する金網支持スぺーサにおいて、
先端及び上記被覆面に支持される下面を有し錘状に形成された本体を備え、該本体の外側に周方向に沿う溝を形成し、該本体を、上記下面を有し上記溝の上記下面側の一側面を形成する土台部と、上記先端を有し上記溝の上記先端側の他側面を形成する先端部と、上記溝の底面を形成し上記土台部及び先端部を連結する軸部とを備えて構成し、
上記先端部を上記金網の交叉部に形成される孔を通過させ該交叉部を上記溝内に入れて該金網を支持するようにしたことを特徴とする金網支持スぺーサ。
【請求項２】
上記土台部の一側面を軸部から下側に向けて傾斜形成したことを特徴とする請求項１記載の金網支持スぺーサ。
【請求項３】
上記本体を円錐状に形成し、上記軸部を円柱状に形成したことを特徴とする請求項１または２記載の金網支持スぺーサ。
【請求項４】
上記本体の全体の高さをＨ、上記土台部の高さ方向長さをＨａ、上記先端部の高さ方向長さをＨｂ、上記軸部の高さ方向長さをＨｃとしたとき、Ｈａ＝Ｈｂ≧Ｈｃにしたことを特徴とする請求項３記載の金網支持スぺーサ。
【請求項５】
上記土台部の下面の直径をＤｋ、上記軸部の直径をＤｊとしたとき、３０ｍｍ≦Ｄｋ≦５０ｍｍ、８ｍｍ≦Ｄｊ≦１２ｍｍ、３０ｍｍ≦Ｈ≦１００ｍｍ、８ｍｍ≦Ｈｃ≦１６ｍｍにしたことを特徴とする請求項４記載の金網支持スぺーサ。
【請求項６】
上記本体を、木材を切削加工によって一体形成したことを特徴とする請求項２乃至４何れかに記載の金網支持スぺーサ。
【発明の詳細な説明】
【技術分野】
【０００１】
本発明は、法面や床面等の被覆面に被覆される金網を支持する金網支持スぺーサに係り、特に、金網を被覆面より一定高さ間隔だけ浮かせて支持する金網支持スぺーサに関する。
【背景技術】
【０００２】
一般に、被覆面としての法面にコンクリート，モルタル，客土等の基盤材を吹き付ける際には、予め、法面に金網を被覆し、この金網により基盤材を保持するようにしている。図７に示すように、金網Ｎは、例えば、一の線材１の直角に折曲された折曲部１ａと他の一の線材２の直角に折曲された折曲部２ａとをこれら折曲部１ａ，２ａの内側同士を交叉させて係合させた交叉部３を有して格子状に形成されている。この金網Ｎは、金網支持スぺーサによって、法面Ｇより一定高さ間隔だけ浮かせて支持される。
【０００３】
従来から、金網支持スぺーサとしては、種々のものがあるが、構造が複雑なものも多く（例えば、実用新案登録第２５２００５４号公報等に掲載）、製造が煩雑でコストも高く、また、装着作業性にも劣るという問題があり、できるだけ簡単な構造のものが望まれる。従来、図７に示すように、簡単な構造の金網支持スぺーサＳａとしては、金属製の線材を折曲形成し、コ字状の土台部１００と、土台部１００から立設される支柱１０１と、支柱１０１の先端部に形成され金網Ｎの交叉部３を吊下するフック部１０３とから構成されたものがある（意匠登録第１４１３９３５号公報に掲載）。
【先行技術文献】
【特許文献】
【０００４】
【特許文献１】実用新案登録第２５２００５４号公報
【特許文献２】意匠登録第１４１３９３５号公報
【発明の概要】
【発明が解決しようとする課題】
【０００５】
ところで、上記従来の金網支持スぺーサＳａにおいては、線材を折曲形成して作製され、構造が簡単ではあるが、土台部１００がコ字状なので被覆面としての法面Ｇに食い込み易く、ぐらつき易くなって安定性に劣り、また、支柱１０１も線材なので剛性が弱く曲がり易いことからこの点でも安定性を損ね、金網Ｎの支持が不確実になっているという問題があった。また、フック部１０２で金網Ｎの交叉部３を引っ掛けて吊下しているだけなので、外れ易く、この点でも金網Ｎの支持が不確実になっているという問題があった。
【０００６】
本発明は上記の問題点に鑑みて為されたもので、簡単な構造で、安定性に優れるとともに、金網から外れにくくして、金網の支持を確実に行うことができるようにした金網支持スぺーサを提供することを目的とする。
【課題を解決するための手段】
【０００７】
このような目的を達成するための本発明の金網支持スぺーサは、被覆面に被覆される金網を該被覆面より一定高さ間隔だけ浮かせて支持する金網支持スぺーサであって、一の線材の直角に折曲された折曲部と他の一の線材の直角に折曲された折曲部とをこれら折曲部の内側同士を交叉させて係合させた交叉部を有して格子状に形成された金網を支持する金網支持スぺーサにおいて、
先端及び上記被覆面に支持される下面を有し錘状に形成された本体を備え、該本体の外側に周方向に沿う溝を形成し、該本体を、上記下面を有し上記溝の上記下面側の一側面を形成する土台部と、上記先端を有し上記溝の上記先端側の他側面を形成する先端部と、上記溝の底面を形成し上記土台部及び先端部を連結する軸部とを備えて構成し、
上記先端部を上記金網の交叉部に形成される孔を通過させ該交叉部を上記溝内に入れて該金網を支持するようにした構成としている。
【０００８】
この金網支持スぺーサは、錘状の本体に溝を形成しただけの簡単な形状であり、製造が容易で、安価にすることができ、また、搬送や取り扱いも極めて容易になる。この金網支持スぺーサを装着するときは、予め法面等の被覆面に金網を被覆した状態で、土台部の下面側が被覆面側に位置するように、先端部を金網の交叉部に形成される孔を通過させ、交叉部を溝内に入れるようにする。この場合、スぺーサの軸線が孔を通るようにして先端部をその先端から孔に入れ、線材の弾性力により孔を拡大せしめて先端部を徐々に孔に挿入し、あるいはまた、スぺーサの軸線を傾けて孔の周囲から先端部の外側面により一方の線材と他方の線材とを押し広げながら離間させて先端部を孔に挿入して行く。先端部が孔を通過すると、交叉部が溝に臨み、線材の弾性力により孔が縮小して一方の線材の折曲部及び他方の線材の折曲部の内側同士が軸部に当接してこの軸部を挾持する。
【０００９】
この状態では、土台部の下面が被覆面に接地し、金網の交叉部が溝に入り込んで、孔の周囲が土台部に形成された溝の一側面に支持され、金網は、被覆面より土台部の軸方向長さ分の一定高さ間隔離間して支持される。この場合、土台部の下面が被覆面に接地するので、ぐらつきにくく安定し、また、軸部を介して錘状の先端部を支持することになるので、剛性も高く、この点でも安定し、それだけ、金網の支持を確実にすることができる。また、金網の交叉部は溝にあって軸部に挿通されてこれを挾持することになるので、外れたり抜けたりする事態が阻止され、この点でも金網の支持を確実に行うことができる。
【００１０】
そして、必要に応じ、上記土台部の一側面を軸部から下側に向けて傾斜形成した構成としている。これにより、この金網支持スぺーサを装着する際、その軸線を傾けて孔の周囲から先端部の外側面により一方の線材と他方の線材とを押し広げながら離間させて先端部を孔に挿入して行く場合、スぺーサの軸線が傾いているので、線材の折曲部が土台部に形成された溝の一側面に当接することがあるが、土台部の一側面は軸部から下側に向けて傾斜形成されているので、当接した線材が相対的に滑って逃げやすくなり、そのため、装着作業性が極めて容易になる。
【００１１】
また、必要に応じ、上記本体を円錐状に形成し、上記軸部を円柱状に形成した構成としている。本体が円錐状なので、外側面が線材に対して滑りやすく、装着作業性が極めて容易になる。
【００１２】
更に、必要に応じ、上記本体の全体の高さをＨ、上記土台部の高さ方向長さをＨａ、上記先端部の高さ方向長さをＨｂ、上記軸部の高さ方向長さをＨｃとしたとき、Ｈａ＝Ｈｂ≧Ｈｃにした構成としている。溝が土台の軸方向中央に形成されるので、バランスが良く、装着性を向上させることができるとともに、金網の支持を確実に行うことができる。
【００１３】
この場合、上記土台部の下面の直径をＤｋ、上記軸部の直径をＤｊとしたとき、３０ｍｍ≦Ｄｋ≦５０ｍｍ、８ｍｍ≦Ｄｊ≦１２ｍｍ、３０ｍｍ≦Ｈ≦１００ｍｍ、８ｍｍ≦Ｈｃ≦１６ｍｍにしたことが有効である。金網をバランスよく確実に支持することができる。
【００１４】
また、必要に応じ、上記本体を、木材を切削加工によって一体形成した構成としている。旋盤などの切削加工により、外形及び溝を容易に製造することができる。また、間伐材を用いるなど安価に形成することができる。
【発明の効果】
【００１５】
本発明によれば、錘状の本体に溝を形成しただけの簡単な形状であり、製造が容易で、安価にすることができ、また、搬送や取り扱いも極めて容易になる。また、本体を金網に装着した状態では、土台部の下面が被覆面に接地し、金網の交叉部が溝に入り込んで、孔の周囲が土台部に形成された溝の一側面に支持され、金網は、被覆面より土台部の軸方向長さ分の一定高さ間隔離間して支持される。このため、土台部の下面が被覆面に接地するので、ぐらつきにくく安定し、また、軸部を介して錘状の先端部を支持することになるので、剛性も高く、この点でも安定し、それだけ、金網の支持を確実にすることができる。また、金網の交叉部は溝にあって軸部に挿通されてこれを挾持することになるので、外れたり抜けたりする事態が阻止され、この点でも金網の支持を確実に行うことができる。
【図面の簡単な説明】
【００１６】
【図１】本発明の実施の形態に係る金網支持スぺーサを被覆面としての法面に被覆された金網に装着した状態で示す斜視図である。
【図２】本発明の実施の形態に係る金網支持スぺーサを被覆面としての法面に被覆された金網に装着した状態で示す平面図である。
【図３】本発明の実施の形態に係る金網支持スぺーサを示す正面図である。
【図４】本発明の実施の形態に係る金網支持スぺーサを示す平面図である。
【図５】本発明の実施の形態に係る金網支持スぺーサを示す縦断面図である。
【図６】本発明の実施の形態に係る金網支持スぺーサを被覆面としての法面に被覆された金網に装着する過程の一例を示す斜視図である。
【図７】従来の金網支持スぺーサの一例を被覆面としての法面に被覆された金網に装着した状態で示す斜視図である。
【発明を実施するための形態】
【００１７】
以下、添付図面に基づいて、本発明の実施の形態に係る金網支持スぺーサについて詳細に説明する。尚、上記と同様のものには同一の符号を付して説明する。
図１乃至図６に示すように、実施の形態に係る金網支持スぺーサＳは、被覆面としての法面Ｇに吹き付けられるコンクリート，モルタル，客土等の基盤材を保持するためにこの法面Ｇに被覆される金網Ｎを支持するもので、金網Ｎを法面Ｇより一定高さ間隔だけ浮かせて支持する。金網Ｎは、例えば、一の線材１の直角に折曲された折曲部１ａと他の一の線材２の直角に折曲された折曲部２ａとをこれら折曲部１ａ，２ａの内側同士を交叉させて係合させた交叉部３を有して格子状に形成されている。
【００１８】
実施の形態に係る金網支持スぺーサＳは、木材からなり、切削加工によって一体形成されており、先端１１及び法面Ｇに支持される下面１２を有し円錐状に形成された本体１０を備えている。本体１０の外側には、周方向に沿う溝１３が形成されており、本体１０は、下面１２を有し溝１３の下面１２側の一側面１３ａを形成する土台部１４と、先端１１を有し溝１３の先端１１側の他側面１３ｂを形成する先端部１５と、溝１３の底面１３ｃを形成し土台部１４及び先端部１５を連結する軸部１６とを備えて構成されている。即ち、本体１０は、円錐状に形成され、土台部１４の外側面の母線及び先端部１５の外側面の母線は本体１０の円錐の母線になっている。また、軸部１６は円柱状に形成されている。これにより、先端部１５を金網Ｎの交叉部３に形成される孔４を通過させ、交叉部３を溝１３内に入れて金網Ｎを支持するように形成される。
【００１９】
また、本体１０の全体の高さをＨ、土台部１４の高さ方向長さをＨａ、先端部１５の高さ方向長さをＨｂ、軸部１６の高さ方向長さをＨｃとしたとき、Ｈａ＝Ｈｂ≧Ｈｃに設定されている。詳しくは、土台部１４の下面１２の直径をＤｋ、軸部１６の直径をＤｊとしたとき、３０ｍｍ≦Ｄｋ≦５０ｍｍ、８ｍｍ≦Ｄｊ≦１２ｍｍ、３０ｍｍ≦Ｈ≦１００ｍｍ、８ｍｍ≦Ｈｃ≦１６ｍｍに設定されている。実施の形態では、Ｈ＝５０ｍｍ，Ｈａ＝Ｈｂ＝２０ｍｍ，Ｈｃ＝１０ｍｍ，Ｄｋ＝４０ｍｍ，Ｄｊ＝１０ｍｍに設定されている。
【００２０】
従って、この金網支持スぺーサＳを製造するときは、木材の原料を、例えば、旋盤等を用いて切削加工する。この場合、金網支持スぺーサＳは、円錐状の本体１０に溝１３を形成しただけの簡単な形状なので、外形及び溝１３を容易に加工することができ、製造が容易になり、安価にすることができる。また、間伐材を用いることもでき、この点でも安価に形成することができる。更に、簡単な構造なので、搬送や取り扱いも極めて容易になる。
【００２１】
この金網支持スぺーサＳを装着するときは、予め法面Ｇに金網Ｎを被覆した状態で、土台部１４の下面１２側が法面Ｇ側に位置するように、先端部１５を金網Ｎの交叉部３に形成される孔４を通過させ、交叉部３を溝１３内に入れるようにする。本体１０の先端部１５が孔４を通過すると、交叉部３が溝１３に臨み、線材の弾性力により孔４が縮小して一方の線材１の折曲部１ａ及び他方の線材２の折曲部２ａの内側同士が軸部１６に当接してこの軸部１６を挾持する。この場合、スぺーサＳの軸線が孔４を通るようにして先端部１５をその先端１１から孔４に入れ、線材の弾性力により孔４を拡大せしめて先端部１５を徐々に孔４に挿入する。この場合、本体１０が円錐状なので、外側面が線材に対して滑りやすく、装着作業性が極めて容易になる。
【００２２】
あるいはまた、図６に示すように、この金網支持スぺーサＳの装着においては、スぺーサＳの軸線を傾けて孔４の周囲から先端部１５の外側面により一方の線材１と他方の線材２とを押し広げながら離間させて先端部１５を孔４に挿入して行く。本体１０の先端部１５が孔４を通過すると、交叉部３が溝１３に臨み、線材の弾性力により孔４が縮小して一方の線材１の折曲部１ａ及び他方の線材２の折曲部２ａの内側同士が軸部１６に当接してこの軸部１６を挾持する。この場合、スぺーサＳの軸線が傾いているので、線材の折曲部１ａ，２ａが土台部１４に形成された溝１３の一側面１３ａに当接することがあるが、土台部１４の一側面１３ａは軸部１６から下側に向けて傾斜形成されているので、当接した線材が相対的に滑って逃げやすくなり、そのため、装着作業性が極めて容易になる。また、本体１０が円錐状なので、外側面が線材に対して滑りやすく、この点でも装着作業性が極めて容易になる。
【００２３】
折曲部１ａ，２ａの内側同士が軸部１６に当接してこの軸部１６を挾持した状態では、土台部１４の下面１２が法面Ｇに接地し、金網Ｎの交叉部３が溝１３に入り込んで、孔４の周囲が土台部１４に形成された溝１３の一側面１３ａに支持され、金網Ｎは、法面Ｇより土台部１４の軸方向長さ分の一定高さ間隔離間して支持される。この場合、土台部１４の下面１２が法面Ｇに接地するので、ぐらつきにくく安定し、また、軸部１６を介して錘状の先端部１５を支持することになるので、剛性も高く、この点でも安定し、それだけ、金網Ｎの支持を確実にすることができる。また、金網Ｎの交叉部３は溝１３にあって軸部１６に挿通されてこれを挾持することになるので、外れたり抜けたりする事態が阻止され、この点でも金網Ｎの支持を確実に行うことができる。
【００２４】
また、Ｈａ＝Ｈｂ≧Ｈｃに設定されているので、溝１３が土台の軸方向中央に形成されることから、バランスが良く、装着性を向上させることができるとともに、金網Ｎの支持を確実に行うことができる。更に、３０ｍｍ≦Ｄｋ≦５０ｍｍ、８ｍｍ≦Ｄｊ≦１２ｍｍ、３０ｍｍ≦Ｈ≦１００ｍｍ、８ｍｍ≦Ｈｃ≦１６ｍｍに設定されているので、金網Ｎをバランスよく確実に支持することができる。
【００２５】
尚、上記実施の形態において、本体１０を木材で形成したが、必ずしもこれに限定されるものではなく、樹脂を一体成形するなど、どのような材料で形成しても良い。また、本体１０を円錐状に形成したが、必ずしもこれに限定されるものではなく、四角錘等の多角錘状に形成しても良く、適宜変更して差支えない。更に、上記実施の形態では、金網支持スぺーサＳを、被覆面としての法面Ｇに被覆される金網に用いたが、必ずしもこれに限定されるものではなく、法面Ｇ以外の被覆面に被覆される金網に用いて良いことは勿論である。
【符号の説明】
【００２６】
Ｓ  金網支持スぺーサ
Ｇ  法面（被覆面）
Ｎ  金網
１，２  線材
１ａ，２ａ  折曲部
３  交叉部
４  孔
１０  本体
１１  先端
１２  下面
１３  溝
１３ａ  一側面
１３ｂ  他側面
１３ｃ  底面
１４  土台部
１５  先端部
１６  軸部
【図１】
2017053111.tif 000003
【図２】
2017053111.tif 000004
【図３】
2017053111.tif 000005
【図４】
2017053111.tif 000006
【図５】
2017053111.tif 000007
【図６】
2017053111.tif 000008
【図７】
2017053111.tif 000009